(57)【要約】    【課題】  作業者が荷物を持ち上げることなく荷締め部材を掛け廻すことができるようにした荷造り用治具を提供すること。    【解決手段】  荷締めすべき荷物がフォーク部上に搭載され、荷締め部材が荷物とフォーク部とに掛け廻され、荷締め後の荷物がフォーク部から抜かれることによって荷造りができるようにした荷造り用治具であって、作業テーブル（２００）に載置されるベースフレーム部（１１０）と、ベースフレーム部を作業テーブルに取付けるクランプ（１８０）と、搭載辺部（１５０Ａ）と脚部（１５０Ｂ）とからなるＬ字状をなし、脚部がベースフレーム部の一側端縁に一体的に設けられ又は固定され、搭載辺部上に荷物（２１０）が搭載され、荷締め部材（２３０）によって荷物と共に荷締めされるフォーク部（１５０）と、を備える。【選択図】  図３
2011207530.tif 000002
【特許請求の範囲】
【請求項１】
荷締めすべき荷物がフォーク部上に搭載され、荷締め部材が荷物とフォーク部とに掛け廻され、荷締め後の荷物がフォーク部から抜かれることによって荷造りができるようにした荷造り用治具であって、
作業テーブル（２００）に載置されるベースフレーム部（１１０）と、
該ベースフレーム部（１１０）に取り付けられ、上記ベースフレーム部（１１０）を作業テーブル（２００）に取付けるクランプ（１８０）と、
搭載辺部（１５０Ａ）と脚部（１５０Ｂ）とからなるＬ字状をなし、上記脚部（１５０Ｂ）が上記ベースフレーム部（１１０）の一側端縁に一体的に設けられ又は固定され、上記搭載辺部（１５０Ａ）上に荷物（２１０）が搭載され、荷締め部材（２３０）によって荷物（２１０）と共に荷締めされるフォーク部（１５０）と、
を備えたことを特徴とする荷造り用治具。
【請求項２】
上記フォーク部（１５０）の脚部（１５０Ｂ）には荷物（２１０）の背面を位置決めする揃え板（１９０）が取付け具（１９１，３００，３１０）によって取付けられるようになっている請求項１記載の荷造り用治具。
【請求項３】
上記ベースフレーム部（１１０）の先端には作業テーブル（２００）の端縁と当たって位置決めする位置決め部が折曲げ形成されている請求項１記載の荷造り用治具。
【発明の詳細な説明】
【技術分野】
【０００１】
本発明は荷造り用治具に関し、特に作業者が荷物を持ち上げることなく荷締め部材を荷物に掛け廻すことができるようにした治具に関する。
【背景技術】
【０００２】
荷物、例えば古新聞や古雑誌を荷造りする場合、ポリプロピレン製やポリエチレン製の紐やバンドを用い、積み重ねた古新聞等を手で持ち上げながら紐やバンドを縦横斜めに掛け廻して引き締めるようにしていたが（特許文献１、特許文献２、特許文献３）、作業が煩雑であるばかりでなく、荷締め力が安定せず、荷崩れを起こしやすい。
【０００３】
最近、ポリエステルや塩化ビニルなどの材料を用いた荷造り用のストレッチフィルムが提案されている（特許文献４、特許文献５）。このストレッチフィルムを荷締めるべき荷物の外周に掛け廻し、フィルムを引っ張って破断させると、フィルム同士がぴったりと密着して荷締め力が安定し、荷崩れしにくいという利点を有する。
【０００４】
そして、このようなストレッチフィルムを用いて自動的に荷造りできるようにした荷造り装置が種々提案されている（特許文献６）。
【先行技術文献】
【特許文献】
【０００５】
【特許文献１】特開平０７−２５７５１３号公報
【特許文献２】特開平１０−１８１７１２号公報
【特許文献３】特開２００２−８００１５号公報
【特許文献４】特開２００３−２８５４０５号公報
【特許文献５】特開２００７−２０３４６３号公報
【特許文献６】特開２００９−６２０５３号公報
【発明の概要】
【発明が解決しようとする課題】
【０００６】
しかし、荷造り量が少ない場合には荷造り装置はコスト高を招来して不向きであり、手作業に頼らざるを得ないが、手作業による場合には紐やバンドで荷造りする場合と同様に荷物を手で持ち上げながらストレッチフィルムを荷物の外周に掛け廻さなければならず、非常に煩雑で、作業者の負担が大きいという問題があった。
【０００７】
本発明はかかる問題に鑑み、作業者が荷物を持ち上げることなく荷締め部材を荷物に掛け廻して荷造りできるようにした荷造り用治具を提供することを課題とする。
【課題を解決するための手段】
【０００８】
そこで、本発明に係る荷造り用治具は、荷締めすべき荷物がフォーク部上に搭載され、荷締め部材が荷物とフォーク部とに掛け廻され、荷締め後の荷物がフォーク部から抜かれることによって荷造りができるようにした荷造り用治具であって、作業テーブルに載置されるベースフレーム部と、該ベースフレーム部を作業テーブルに取付けるクランプと、搭載辺部と脚部とからなるＬ字状をなし、上記脚部が上記ベースフレーム部の一側端縁に一体的に設けられ又は固定され、上記搭載辺部上に荷物が搭載され、荷締め部材によって荷物と共に荷締めされるフォーク部と、を備えたことを特徴とする。
【０００９】
本発明の特徴の１つは側面Ｌ字状のフォーク部の搭載辺部を作業テーブル上に、フォーク部の脚部によって作業テーブルとの間に隙間をあけて設置し、フォーク部の搭載辺部上に荷物を搭載し、荷物とフォーク部の搭載辺部とに荷締め部材を掛け廻せるようにした点にある。
【００１０】
これにより、作業者が荷物を持ち上げることなく、搭載辺部上の荷物に荷締め部材を掛け廻すことができ、荷締め後の荷物をフォーク部の搭載辺部から引き抜くと、荷造り済みの荷物を得ることができる。
【００１１】
フォーク部はその脚部をベースフレーム部と一体的に形成してもよく、又別体に形成して固定してもよい。
【００１２】
フォーク部は１つとし、広幅にして荷物を搭載するようにしてもよく、又複数の荷造り用治具を用い、複数の荷造り用治具のフォーク部を荷物の横幅に応じた間隔とし、複数のフォーク部の上に荷物を搭載して荷造りすることもできる。
【００１３】
荷造りする場合、荷物をフォーク部上に搭載するだけで簡単に位置決めできると、作業性を向上できる。そこで、フォーク部の脚部に揃え板を取付け具、例えば板ばねクリップやボルト・ナット、例えば工具の不要なつまみねじ・ナット（商品名：ノブボルト・ノブナット）によって起立させて取付け、揃え板に荷物の背面を当てて位置決めするのがよい。大きな荷物の場合には揃え板が邪魔になって荷物をフォーク部上に安定な姿勢で搭載できないおそれがあるので、揃え板を取り外すことができるのがよい。
【００１４】
フォーク部と荷物とに荷締め部材をきつく掛け廻すと、荷物を確実に荷締めすることができ、荷物をフォーク部から抜いても荷締め力が低下することはほとんどなく、安定した荷締め力を得ることができ、荷崩れを起こすおそれがない。
【００１５】
荷締め部材には荷締め作業性及び安定した荷締め力の点から、ストレッチフィルムを用いるのがよいが、荷締め紐やバンドを用いても同様の作用効果を奏する。
【００１６】
また、ベースフレーム部の先端には位置決め部を折り曲げ形成し、作業テーブルの端縁と当接させると、ベースフレーム部を作業テーブルに対して確実に位置決めすることができる。
【図面の簡単な説明】
【００１７】
【図１】本発明に係る荷造り用治具の好ましい実施形態を示す概略斜視図である。
【図２】上記実施形態における取付けブラケットを示す斜視図である。
【図３】上記実施形態の使用状態を示す図である。
【図４】第２の実施形態を示す概略斜視図である。
【図５】第３の実施形態を示す概略斜視図である。
【図６】第４の実施形態を示す概略斜視図である。
【図７】第５の実施形態を示す概略斜視図である。
【図８】上記実施形態の使用状態を示す概略斜視図である。
【発明を実施するための形態】
【００１８】
以下、本発明を図面に示す具体例に基づいて詳細に説明する。図１ないし図３は本発明に係る荷造り用治具の好ましい実施形態を示す。図において、荷造り用治具１００はベースフレーム部１１０、フォーク部１５０及びクランプ１８０によって構成されている。
【００１９】
ベースフレーム部１１０は短尺のプレート状をなし、ベースフレーム部１１０には取付けブラケット１７０がねじやリベットによって固定され、取付けブラケット１７０のスライド溝１７０Ａにはクランプ１８０のＣ字状の端部がスライド自在に嵌め込まれることによってクランプ１８０がベースフレーム部１１０に前後スライド可能に取付けられている。なお、スライド溝１７０Ａを左右方向に形成し、左右スライド可能に取付けるようにしてもよい。
【００２０】
他方、フォーク部１５０は所定幅の長尺の搭載辺部１５０Ａと同幅の短尺の脚部１５０Ｂとからなる側面Ｌ字状に形成され、脚部１５０Ｂの下端縁はベースフレーム部１１０の後端縁に連続するように、つまり一体的に形成されている。なお、フォーク部の搭載辺部と脚部とは別体に製造し、相互に溶接やボルト・ナットなどによって固定するようにしてもよいので、異なる幅とすることもできる。また、ベースフレーム部１１０及びフォーク部１５０は適切な金属材料を用いて製造するが、合成樹脂材料を用いて製造することもできる。
【００２１】
本例の治具１００を用いる場合、図３に示されるように、フォーク部１５０を作業テーブル２００の端縁から外方に突き出させた状態で作業テーブル２００をクランプ１８０とベースフレーム部１１０との間に挟んで取付ける。クランプ１８０は取付けブラケット１７０のスライド溝１７０Ａ内を前後にスライドできるので、作業テーブル２００の端縁に対するクランプ１８０の位置を自由に設定できる。
【００２２】
同様に、作業テーブル２００に荷物２１０の横幅に応じた間隔をあけて本例の治具１００を取付ける。例えば、横幅の小さい荷物２１０の場合には左右のフォーク部１５０の間隔を狭くする。
【００２３】
こうして準備ができると、複数の小荷物２１０をフォーク部１５０の搭載辺部１５０Ａの上に載せて揃え、小荷物２１０とフォーク部１５０とにストレッチフィルム（荷締め部材）２３０を掛け廻し、ストレッチフィルム２３０を引っ張って破断させると、ストレッチフィルム２３０同士がピッタリと密着して荷締めることができるので、小荷物２１０をフォーク部１５０から抜くと、荷造りが完了する。
【００２４】
このとき、フォーク部１５０の搭載辺部１５０Ａはそれほど厚みが大きくないので、小荷物２１０の荷締めが緩むことはなく、安定した荷締め力を確保できる。
【００２５】
大きな荷物を荷造りする場合には左右の治具１００の間隔を広げ、荷物の中央がフォーク部１５０の搭載辺部１５０Ａの中央にくるように載せ、後は上記と同様にストレッチフィルム２３０によって荷締め、フォーク１５０から抜けばよい。
【００２６】
図４は第２の実施形態を示す。図において図１ないし図３と同一符号は同一又は相当部分を示す。本例ではフォーク部１５０の脚部１５０Ｂにほぼ同幅の揃え板１９０を重ね、板ばね製のクリップ１９１で脚部１５０Ｂと揃え板１９０とを共に挟持し、揃え板１９０を起立させるようにしており、複数の小荷物２１０の背面を揃え板１９０に当て、一端を揃えて荷締めできるようにしている。また、揃え板１９０を取り外すと、大きな荷物を搭載して荷造りすることができる。
【００２７】
図５は第３の実施形態を示す。図において図４と同一符号は同一又は相当部分を示す。本例では狭幅のフォーク部１５０の脚部１５０Ｂにほぼ同幅の揃え板１９０を重ね、脚部１５０Ｂ及び揃え板１９０の挿通穴３１１、３１２につまみねじ（商品名：ノブボルト）３００を通してつまみナット（商品名：ノブナット）３１０に螺合させ、揃え板１９０を起立させ、複数の小荷物２１０の背面を揃え板１９０に当て、一端を揃えて荷締めできるようにしており、工具の不要なつまみねじ３００とつまみナット３１０によって揃え板１９０を着脱可能に取付けることができる。
【００２８】
図６は第４の実施形態を示す。図において図５と同一符号は同一又は相当部分を示し、本例ではフォーク部１５０及び揃え板１９０を図５の例に比較して広い幅に形成するようにしている。
【００２９】
図５に示す狭い幅のフォーク部１５０では複数のフォーク部１５０を小荷物２１０の横幅よりも狭い間隔で設置し、小荷物２１０を荷締める。これに対し、図６に示す広い幅のフォーク部１５０ではフォーク部１５０よりも広い幅の小荷物２１０を搭載して荷締める。荷締め後に小荷物２１０を引き抜く際に、スムーズに引き抜くことができる。また、引き抜き後の小荷物２１０には荷緩みが起こることがない。
【００３０】
これに対し、図５に示す狭い幅のフォーク部１５０では複数のフォーク部１５０を小荷物２１０の横幅よりも広い間隔で設置して荷締めるか、図６に示す広い幅のフォーク部１５０では広い幅のフォーク部１５０よりも狭い幅の小荷物２１０を搭載して荷締めると、荷締め後に小荷物２１０を引き抜く際に、小荷物２１０だけを持つことができず、引き抜きが困難である。また、引き抜き後の小荷物２１０には荷緩みが起こる。
【００３１】
図７及び図８は第５の実施形態を示し、図において図６と同一符号は同一又は相当部分を示す。本例ではベースフレーム部１１０の先端には位置決め部１１０Ａが折曲げ形成され、位置決め部１１０Ａが作業テーブル２００の端縁に当接されることによってベースフレーム部１１０が作業テーブル２００に対して正確に位置決め保持されるようになっている。
【００３２】
また、揃え板１９０はフォーク部１５０の脚部１５０Ｂよりも広い幅に形成され、又フォーク部１５０の脚部１５０Ｂには挿通穴３１３には雌ねじが形成され、揃え板１９０の挿通穴３１１を挿通させたつまみねじ３００が挿通穴３１３の雌ねじに螺合され、揃え板１９０を起立して固定できるようになっている。さらに、クランプ１８０のねじの先端にはゴム製のキャップ１８０Ａが嵌められるようになっている。
【符号の説明】
【００３３】
１００    荷造り治具
１１０    ベースフレーム部
１５０    フォーク部
１５０Ａ    搭載辺部
１５０Ｂ    脚部
１８０      クランプ
１９１      クリップ（取付け具）
２００    作業テーブル
２１０    荷物
２３０    ストレッチフィルム（荷締め部材）
３００    ノブボルト（取付け具）
３１０    ノブナット（取付け具）
【図１】
2011207530.tif 000003
【図２】
2011207530.tif 000004
【図３】
2011207530.tif 000005
【図４】
2011207530.tif 000006
【図５】
2011207530.tif 000007
【図６】
2011207530.tif 000008
【図７】
2011207530.tif 000009
【図８】
2011207530.tif 000010